(57)【要約】【課題】  乳児の姿勢を適正に保持して酸素飽和度の低下を防ぐことのできる乳児用姿勢保持構造を提供する。【解決手段】  乳児用姿勢保持具６０は、上下および左右に延在するマット６１と、マット６１上に寝かされている乳児の胴の両側部に当接するようにマット６１の左右側部上に位置する一対の胴サポート６２，６３と、乳児の頭を下から支えるようにマット６１の上部に位置する枕１０とを備える。各胴サポート６２，６３は、乳児の胴側部背面を下から支える下層部６２ｂ，６３ｂと、この下層部６２ｂ，６３ｂ上で外側方にずれて位置し乳児の胴側部に横から当接する上層部６２ａ，６３ａとを含む。【選択図】      図１３
2005110800.tif 000002
【特許請求の範囲】
【請求項１】
上下および左右に延在するマットと、
前記マット上に寝かされている乳児の胴の両側部に当接するように、前記マットの左右側部上に位置する一対の胴サポートとを備え、
前記各胴サポートは、乳児の胴側部背面を下から支える下層部と、この下層部上で外側方にずれて位置し乳児の胴側部に横から当接する上層部とを含む、乳児用姿勢保持構造。
【請求項２】
前記上層部は発泡倍率の高い発泡材料から形成され、
前記下層部は前記上層部よりも発泡倍率の低い発泡材料から形成されている、請求項１に記載の乳児用姿勢保持構造。
【請求項３】
前記上層部は、前記下層部が乳児の体重によって押圧されるのに伴って内側方に移動するように構成されている、請求項１または２に記載の乳児用姿勢保持構造。
【請求項４】
前記各胴サポートは、前記マットに着脱可能に取付けられている、請求項１〜３のいずれかに記載の乳児用姿勢保持構造。
【請求項５】
前記マット上に寝かされている乳児の頭を下から支えるように、前記マットの上部に設けられた枕を備える、請求項１〜４のいずれかに記載の乳児用姿勢保持構造。
【請求項６】
前記枕は、前記マットに着脱可能に取付けられている、請求項５に記載の乳児用姿勢保持構造。
【請求項７】
前記枕は、
第１の高さを有し、乳児の後頭部の両側部を下から支える一対の頭部位置決め部と、
前記第１の高さよりも低い第２の高さを有し、前記一対の頭部位置決め部によって位置決めされた乳児の首を下から支える頸椎支え部とを備える、請求項５または６に記載の乳児用姿勢保持構造。
【請求項８】
前記頸椎支え部上で乳児が首を回転して横を向いたときに、乳児の鼻および口に対向する前記頭部位置決め部の高さは、乳児の鼻および口の高さより低い、請求項７に記載の乳児用姿勢保持構造。
【請求項９】
前記一対の頭部位置決め部は頭頂部側で相互に連続されている、請求項７または８に記載の乳児用姿勢保持構造。
【請求項１０】
前記頸椎支え部は乳児の首側において長辺を有する台形状である、請求項７〜９のいずれかに記載の乳児用姿勢保持構造。
【請求項１１】
前記一対の頭部位置決め部の高さは頭頂部側から首側へ徐々に低くなるように形成される、請求項７〜１０のいずれかに記載の乳児用姿勢保持構造。
【請求項１２】
前記頸椎支え部は頭頂部側から首側へ徐々に低くなるように形成される、請求項７〜１１のいずれかに記載の乳児用姿勢保持構造。
【請求項１３】
前記一対の頭部位置決め部は、首側において前記頸椎支え部より首側に延在し、それによって乳児の肩を位置決めする肩当て部を構成する、請求項７〜１２のいずれかに記載の乳児用姿勢保持構造。
【請求項１４】
前記一対の胴サポートから連なって乳児の下半身を取り囲むように、前記マットの周縁部を取り囲む立壁部をさらに備える、請求項１〜１３のいずれかに記載の乳児用姿勢保持構造。
【発明の詳細な説明】
【技術分野】
【０００１】
この発明は、乳児の姿勢を適正に保持して酸素飽和度の低下を防ぐ乳児用姿勢保持構造に関するものである。
【背景技術】
【０００２】
乳児の姿勢を保持するための種々の提案がなされている。
【０００３】
たとえば、実用新案登録第３０７９７８５号公報（特許文献１）は、乳児用枕を開示している。この公報に開示された乳児用枕は、全体形状をドーナツ状または逆Ｕ字状にすることによって赤ちゃんの頭の形を損なわないようにしている。
【０００４】
特開２００３−７０６０２号公報（特許文献２）は、乳幼児のおむつ交換時、乳幼児の寝返りを防止し得る敷物を開示している。この公報に開示された乳幼児寝返り防止敷物では、敷物に、乳幼児の胸囲を固定する帯と左右肩を固定する帯とを取付けている。
【０００５】
特開平１１−２７６３１２号公報（特許文献３）は、乳幼児のおむつ交換の際に使用するのに便利な寝返り防止具を開示している。この公報に開示された寝返り防止具では、乳幼児の上半身に装着可能な装着具を敷物に取付けている。
【０００６】
特表２００２−５３９８５２号公報（特許文献４）は、乳児の睡眠の際に寝床の移動および寝返りを防止することができる多機能クッションを開示している。この公報に開示された多機能クッションは、薄くて平坦なパッドと、このパッドの両側部上に位置する円柱形状の一対のクッションとを備えている。
【特許文献１】実用新案登録第３０７９７８５号公報（図１〜図８およびそれに関連する記載）
【特許文献２】特開２００３−７０６０２号公報
【特許文献３】特開平１１−２７６３１２号公報
【特許文献４】特表２００２−５３９８５２号公報
【発明の開示】
【発明が解決しようとする課題】
【０００７】
実用新案登録第３０７９７８５号公報（特許文献１）に開示された、ドーナツ状の乳児用枕の例を図２６に示す。図２６（Ａ）はドーナツ状枕に乳児を寝かせた例を示す図であり、図２６（Ｂ）は図２６（Ａ）に示す乳児用枕において、乳児の頭部がドーナツより小さく、首の部分のみが支持された状態を示す図であり、図２６（Ｃ）は、乳児の頭部がドーナツ状の枕からずれた状態を示す図である。
【０００８】
ドーナツ状枕９０においては、本来乳児の頭部をドーナツ状の枕で持ち上げて、頭部全体を浮かし、乳児の後頭部が扁平にならないようにしている。しかしながら、図２６（Ａ）に示すように、頭だけが枕上に位置決めされ、肩部から下の部分の位置が特定されないため、肩から下の部分が図の一点鎖線に示すように頭部に対して移動する場合がある。
【０００９】
また、図２６（Ｂ）に示すように、乳児の頂頭部がドーナツ枕で支持されず、首部分のみがドーナツ枕で支持されると、乳児の首の部分が不自然に持ち上げられ、乳児が苦しくなる。
【００１０】
さらに、図２６（Ｃ）に示すように、ドーナツ状の枕で乳児の頭部が枕から外れてその後頭部を持ち上げた状態では、首の部分が圧迫され、気道閉塞になる可能性があった。
【００１１】
乳児が仰臥位で頻繁に寝返り動作を行なうと、往々にして図２７に示すような窮屈な姿勢となることがある。図２７に示す状態では乳児の首部が屈曲しており、そのため気道閉塞による酸素飽和度の低下のおそれがある。さらに、乳児の腹部も屈曲して圧迫されているので、腹式呼吸が妨げられて酸素飽和度を低下するおそれがある。
【００１２】
特開２００３−７０６０２号公報（特許文献２）や特開平１１−２７６３１２号公報（特許文献３）に開示されたように、帯や装着具によって乳児の上半身を拘束すれば寝返りを防止することは可能であるが、乳児の上半身の動きをほぼ止めてしまうものであるので長時間の使用には不適である。
【００１３】
特表２００２−５３９８５２号公報（特許文献４）に開示された多機能クッションの場合には、円柱形状の一対のクッションを乳児の両側部に位置させるだけであるので乳児の自由な動きを許容する。一方、乳児の側部とクッションとの間にある程度の隙間が形成されるので、乳児の首部の屈曲や腹部の屈曲を防止することは困難である。
【００１４】
この発明は、上記の課題を解決するためになされたものであり、その目的は、乳児の姿勢を適正に保持して酸素飽和度の低下を防ぐことのできる乳児用姿勢保持構造を提供することである。
【００１５】
この発明の他の目的は、乳児の首部および腹部の屈曲を防止することのできる乳児用姿勢保持構造を提供することである。
【課題を解決するための手段】
【００１６】
この発明に従った乳児用姿勢保持構造は、上下および左右に延在するマットと、このマット上に寝かされている乳児の胴の両側部に当接するように、マットの左右側部上に位置する一対の胴サポートとを備える。各胴サポートは、乳児の胴側部背面を下から支える下層部と、この下層部上で外側方にずれて位置し乳児の胴側部に横から当接する上層部とを含む。
【００１７】
好ましくは、胴サポートを構成する上層部および下層部は、柔軟性のある材料で形成される。例えば、上層部は発泡倍率の高い発泡材料から形成され、下層部は上層部よりも発泡倍率の低い発泡材料から形成される。
【００１８】
上記構成の本発明によれば、胴サポートの下層部が乳児の胴側部背面を下から支え、上層部が乳児の胴側部に横から当接するので、乳児の胴部分の位置をしっかりと固定保持することができる。したがって、腹部が屈曲して圧迫されるということが無いので、正常な腹式呼吸を維持でき酸素飽和度の低下を防止できる。
【００１９】
母親のお腹の中にいる胎児は羊水の中にあり、常に水圧によって全身の皮膚に圧力を受けている。このときの記憶からか、新生児や未熟児は、大きな領域で包み込まれるように身体の皮膚に圧力を感じると安心してよく眠る。上記構成の本発明によれば、一対の胴サポートが乳児の胴部を包み込むように圧力を与えるので、特に新生児や未熟児は安心してよく眠ることができる。
【００２０】
好ましくは、上層部は、下層部が乳児の体重によって押圧されるのに伴って内側方に移動するように構成されている。このようにすれば、乳児の胴部分をよりしっかりと固定保持することができる。
【００２１】
一つの実施形態では、各胴サポートは、マットに着脱可能に取付けられている。このようにすれば、乳児の体型や身体の大きさに合わせて一対の胴サポートの間隔や位置関係を調整することができる。
【００２２】
乳児用姿勢保持構造は、マット上に寝かされている乳児の頭を下から支えるように、マットの上部に設けられた枕を備えるものであってもよい。枕は、例えば、マットに着脱可能に取付けられる。
【００２３】
好ましくは、枕は、第１の高さを有し、乳児の後頭部の両側部を下から支える一対の頭部位置決め部と、第１の高さよりも低い第２の高さを有し、一対の頭部位置決め部によって位置決めされた乳児の首を下から支える頸椎支え部とを備える。
【００２４】
頭部位置決め部によって乳児の頭部を位置決めするとともに、乳児の首を頭部位置決め部より低い頸椎支え部で水平に支持するため、乳児の気道を閉塞させることなく、気道を正しく確保できる。その結果、乳児が安心して睡眠できる乳児用枕を提供できる。
【００２５】
さらに、乳児用姿勢保持構造が、上記のような枕を備えることにより、首部の屈曲を防いで酸素飽和度の低下を防止できる。
【００２６】
好ましくは、頸椎支え部上で乳児が首を回転して横を向いたときに、乳児の鼻および口に対向する頭部位置決め部の高さは、乳児の鼻および口の高さより低い。頭部位置決め部の高さをこのように設定したため、乳児が横を向いても、窒息することがない。
【００２７】
なお、一対の頭部位置決め部は頭頂部側で相互に連続されてもよい。
【００２８】
さらに好ましくは、頸椎支え部は乳児の首側において長辺を有する台形状である。また、一対の頭部位置決め部の高さは頭頂部側から首側へ徐々に低くなるよう形成されるのが好ましい。さらに、頸椎支え部は頭頂部側から首側へ徐々に低くなるよう形成されるのが好ましい。
【００２９】
さらに好ましくは、一対の頭部位置決め部は、首側において頸椎支え部より首側に延在し、それによって乳児の肩を位置決めする肩当て部を構成する。
【００３０】
頭部位置決め部から延びた肩当て部が設けられて乳児の肩が位置決めされるため、乳児の頭部と肩部とが位置決めされる。その結果、乳児の頭部と身体とがねじれにくくなり、気道閉塞が起きにくくなる。
【００３１】
乳児用姿勢保持具は、一対の胴サポートから連なって乳児の下半身を取り囲むように、マットの周縁部を取り囲む立壁部をさらに備えるものであってもよい。
【発明を実施するための最良の形態】
【００３２】
以下、この発明の一実施の形態を図面を参照して説明する。図１は乳児用枕１０の斜視図であり、図２はその平面図であり、図３および図４は、図２のＩＩＩ−ＩＩＩおよびＩＶ−ＩＶで示す部分の断面図である。
【００３３】
図１および２を参照して、乳児用枕１０は、下敷層１１と、下敷層１１の上に比較的柔らかい布で構成された、上端部に対して逆Ｕ字状に隆起した頭部位置決め部１２と、乳児用枕１０の下端部近くの中央部に設けられた頸椎支え部１３とを有している。頸椎支え部１３は下端部側の辺が長い台形状を有した隆起部となっている。
【００３４】
逆Ｕ字状の頭部位置決め部１２は頸椎支え部１３より下方向へ延在し、第１および第２の突出部１４ａ，１４ｂを構成している。また、頭部位置決め部１２および頸椎支え部１３で囲まれた部分は凹部１５を構成する。頭部位置決め部１２と、頸椎支え部１３と、凹部１５とはそれぞれが滑らかに接続されている。
【００３５】
図３を参照して、頸椎支え部１３の最も高い部分の高さは、頭部位置決め部１２の頂部側の高さより低く、そこから上端側および下端側になめらかに下降している。頸椎支え部１３をこのようなテーパ状とすることによって、後に説明するように、乳児を乳児用枕１０上に寝かせたとき、首の部分がほとんど存在しない乳児の首から肩の部分の脂肪をこの部分で支持することが可能になる。
【００３６】
図４を参照して、頭部位置決め部１２の両側は、上端部から頸椎支え部１３の少し上側位まではその高さがほぼ一定であり、そこからは突出部１４の端部まで徐々に低下している。なお、頭部位置決め部１２の両側部１２ａ、１２ｂの、乳児が頸椎支え部１３上で横を向いたときに乳児の鼻および口に対向する部分の高さは、乳児の鼻および口の高さより低い寸法である。このような高さにすることにより、乳児が横を向いても、窒息することはない。
【００３７】
このような形状の乳児用枕１０において、乳児の頭部１８をその後頭部が凹部１５に収まるように乳児の頭部にあてがう（図３参照）と、乳児の頭部１８の位置は頭部位置決め部１２によって位置決めされる。また、乳児の左右の肩も第１および第２の突出部１４ａ、１４ｂで位置決めされる。乳児の頭部１８および肩部の位置決めができるため、従来のように睡眠中に乳児の身体がねじれる心配がない。また、乳児の首は頸椎支え部１３によって支持されるため、乳児が寝かされたとき、首が水平になり、従来のように首の部分が持ち上げられて窮屈になったり、首の部分が下がりすぎて気道閉塞になるようなことはない。
【００３８】
なお、乳児用枕１０としての高さ関係を維持するために、下敷層１１を構成する材料はその上に形成される頭部位置決め部１２、頸椎支え部１３や第１および第２の突出部１４ａ、１４ｂを構成する材料よりも密度が高いほうが好ましい。
【００３９】
図５はこの実施の形態に係る乳児用枕１０を使用したときの、乳児の睡眠中の状態における、酸素飽和度（ＳｐＯ２：パルスオキシメータによる測定値）と脈拍数の変化を示すグラフである。乳児を乳児用枕１０の上で寝かせた場合（Ａ）と、乳児用枕１０を無くした場合（Ｂ）と、再度乳児用枕１０をあてがった場合（Ｃ）の各々が比較できるように並べて示している。全てのデータにおいて脈拍は正常である。
【００４０】
図５から解るように、乳児用枕１０を使用した場合（Ａ）は乳児は酸素飽和度の低下も見られず（９５近辺）安眠している。乳児用枕１０を外してしばらくすると（Ｂ）酸素飽和度が低下していくことがわかる（８５程度まで降下）。これは、寝返り等により首のねじれが徐々に生じ、酸素飽和度の低下が生じたためである。その後、再度乳児用枕１０をあてがうと（Ｃ）酸素飽和度は再び上昇する（９５近辺まで）。図５から、この乳児用枕１０の効果は明らかである。
【００４１】
次に、この発明の他の実施の形態について説明する。図６はこの発明の他の実施の形態を示す平面図である。この実施の形態においては、乳児用枕２０がベビーカーをはじめとする乳児用育児器具に内蔵される。
【００４２】
図６を参照して、ベビーカー２１の内壁面に適合して乳児用枕２０が内蔵されている。この乳児用枕の形状は、基本的に図１〜図４に示したものと同じである。このように、乳児用枕２０をベビーカーのような育児器具の内壁面に適合させるか、または、固定していれば、育児器具内で乳児の頭部と肩部をしっかり位置決めし、気道閉塞無く乳児を睡眠させることができる。
【００４３】
なお、この場合下敷層１１は乳児用枕２０の載置されるベビーカー２１のような育児器具の上面を形成する材料の密度よりも大きい密度の材料で形成され、乳児用枕２０の載置される育児器具の上面の堅さの影響を受けないようにする必要がある。
【００４４】
つぎに、この発明のさらに他の実施の形態について説明する。図７は、この発明のさらに他の実施の形態を示す乳児用枕の平面図であり、図８は図７のＶＩＩＩ−ＶＩＩＩで示す部分の断面図である。図７および図８を参照して、この実施の形態に係る乳児用枕３０は、図１〜図４に示した先の実施の形態に対して、頭部位置決め部３２がドーナツ状である点と、突出部が設けられていないという点と、頸椎支え部３３が矩形であるという点が異なっている。頭部位置決め部３２および頸椎支え部３３で囲まれた部分が凹部３５を構成している点を含めて、上記以外の部分は基本的に先の実施の形態と同様であるので、その説明は省略する。
【００４５】
この実施の形態における乳児用枕３０は、基本的には先の実施の形態と同様の基本形状を有しているため、先の実施の形態と同様の効果を奏する。
【００４６】
次に、この発明のさらに他の実施の形態について説明する。図９は、さらに他の実施の形態を示す平面図であり、図１０は図９のＸ−Ｘで示す部分の断面図である。図９および図１０を参照して、この実施の形態に係る乳児用枕４０においては、先の実施の形態と異なり、頭部位置決め部４２は頂部で溝４６によって左右の頭部位置決め部４２ａ，４２ｂに分割されている。また、頭部位置決め部４２および頸椎支え部４３は下敷層４１から比較的急に立ち上がっている。
【００４７】
それ以外の部分は基本的に先の実施の形態と同様であるので、その説明は省略する。この実施の形態における乳児用枕４０は、基本的には先の実施の形態における必須の部分を有しているため、先の実施の形態と同様の効果を奏する。
【００４８】
次に、この発明のさらに他の実施の形態について説明する。図１１は、さらに他の実施の形態を示す平面図であり、図１２は図１０のＸＩＩ−ＸＩＩで示す部分の断面図である。図１１および図１２を参照して、この実施の形態に係る乳児用枕５０においては、先の実施の形態と異なり、先の実施の形態における一対の頭部位置決め部４２ａ、４２ｂのそれぞれが、２つの突起部５２ａ、５３ａおよび５２ｂ、５３ｂに分けられている。このように溝５６ａ、５６ｂを設けることにより、乳児が寝ている間に横を向いても、乳児が横を向いたときの乳児の鼻および口に対する部分が存在しなければ、乳児が窒息することはない。
【００４９】
また、溝５６ａ、５６ｂは、図１１において中心部から、乳児が横を向いても鼻等が当接しない位置（図１１において一点鎖線で示す位置付近）までとし、そこから外側は多少の高さを有するようにしてもよい（図１２における一点鎖線の部分参照）。このようにしても、上記と同様の効果が得られる。
【００５０】
なお、突起部５２ａ、５３ａ、５２ｂ、５３ｂおよび頸椎支え部４３で囲まれた部分が凹部４５を構成している点を含めて、上記以外の部分は基本的に先の実施の形態と同様であるので、その説明は省略する。
【００５１】
図１３は、この発明に従った乳児用姿勢保持構造の一実施形態の乳児用姿勢保持具６０を示す斜視図であり、図１４はその横断面図である。また、図１５は、乳児が乳児用姿勢保持具６０上に寝かされている状態を示す断面図である。図示する乳児用姿勢保持具６０は、上下および左右に延在するマット６１と、マット上に寝かされる乳児の胴１００の両側部に当接するようにマット６１の左右側部上に位置する一対の胴サポート６２、６３とを備える。各胴サポート６２，６３は、それぞれ、乳児の胴１００の側部背面を下から支える下層部６２ｂ，６３ｂと、この下層部６２ｂ，６３ｂ上で外側方にずれて位置し乳児の胴１００の側部に横から当接する上層部６２ａ，６３ａとを含む。図１５において、乳児の両腕１０１，１０２は胴サポートの上層部６２ａ，６３ａ上に置かれている。
【００５２】
乳児用姿勢保持具６０は、室内の畳上、布団上、ベビーベッド上等で使用されてもよいし、乳母車、チャイルドシート、育児椅子等の育児器具上で使用されてもよい。
【００５３】
図示した実施形態では、胴サポート６２，６３の上層部６２ａ，６３ａおよび下層部６２ｂ，６３ｂは、それぞれ、断面形状が楕円形の柱状体である。上層部６２ａ，６３ａと下層部６２ｂ，６３ｂとは、適当な接合手段によって接続される。例えば、それらを縫い付けても良いし、面ファスナーを介して離脱可能に接続してもよい。
【００５４】
胴サポート６２，６３は乳児の胴の両側部に当接するものであるので、乳児に対して柔らかな感触を与え得るように、好ましくは、上層部６２ａ，６３ａおよび下層部６２ｂ，６３ｂは、柔軟性のある材料で形成される。例えば、上層部６２ａ，６３ａを発泡倍率の高い発泡材料で形成し、下層部６２ｂ，６３ｂを上層部よりも発泡倍率の低い発泡材料で形成するようにしてもよい。
【００５５】
図１５に示すように、胴サポート６２，６３の下層部６２ｂ，６３ｂは乳児の胴１００の側部背面に押されて乳児の背中とマット６１との間の隙間を埋めるように横に広がる。また、この下層部６２ｂ，６３ｂが乳児の体重によって押圧されて変形するのに伴って、上層部６２ａ，６３ａが内側方に移動して胴１００の両側部に横から当接する。したがって、図示した実施形態によれば、乳児の胴部分の位置をしっかりとかつ安定して固定保持することができる。こうして、例えば睡眠中における乳児の腹部の屈曲を防止し、酸素飽和度の低下を防止できる。
【００５６】
各胴サポート６２，６３をマット６１上に完全に固定しても良いし、面ファスナ等を介して着脱可能に取付けるようにしてもよい。各胴サポートを着脱可能にしておけば、乳児の体型や身体の大きさに合わせて一対の胴サポートの間隔や位置関係を調整することができる。なお、言うまでもないが、各胴サポートを着脱できないようにマット上に取付ける構造の場合でも、一対の胴サポートの間隔や位置関係の調整を可能にすることができる。
【００５７】
図示する乳児用姿勢保持具６０は、マット６１上に寝かされる乳児の頭を下から支えるように、マット６１の上部に取付けられた枕１０を備える。この枕１０は、図１〜図４に示したものと同一であるので、その説明を省略する。言うまでもないが、図１〜図４に示した枕１０の代わりに、図６に示した枕２０、図７に示した枕３０、図９に示した枕４０、図１１に示した枕５０を使用してもよい。
【００５８】
枕１０は、マット６１の上部に完全に固定されても良いし、面ファスナ等を介して着脱可能に取付けるようにしてもよい。好ましくは、乳児の身体の大きさに合わせて枕１０の位置を調節することができるようにする。
【００５９】
乳児用姿勢保持具６０が上記のような枕１０を備えることにより、乳児の首部の屈曲を防いで酸素飽和度の低下を防止できる。
【００６０】
図１６および図１７は、乳児用姿勢保持具６０上に乳児が仰臥位で寝かされている状態を示している。図１６に示す状態では、乳児は両手を頭側に上げているので、一対の胴サポート６２，６３が乳児の脇の下方に位置する。図１７に示す状態では、乳児は両手を下げているので、一対の胴サポート６２，６３が乳児の両腕を下から支えている。こうして、図示した実施形態によれば、一対の胴サポート６２，６３が存在していても乳児の両腕が窮屈にならないので、乳児に対して不快感を与えない。
【００６１】
図１８は、生後２か月の乳児を仰臥位にした状態で乳児用姿勢保持具６０を使用した場合（実線）と、使用しなかった場合（点線）とにおける酸素飽和度の変化を示すグラフである。乳児用姿勢保持具６０を使用しなかった場合、乳児の身体が動いたときに酸素飽和度が大きく低下していることが認められた。一方、乳児用姿勢保持具６０を使用した場合には、酸素飽和度の低下は認められなかった。
【００６２】
図１９は、座部に対して背もたれ部を３０度の傾斜角度となるように起こした状態で乳児用姿勢保持具６０を使用した場合（実線）と、使用しなかった場合（点線）とにおける生後２か月の乳児の酸素飽和度の変化を示すグラフである。乳児用姿勢保持具６０を使用しなかった場合には、酸素飽和度が低下する状態が継続して見られた。これは、背もたれ部が起こされているために、乳児の首部および腹部が屈曲しやすくなっているためと考えられる。一方、乳児用姿勢保持具６０を使用した場合には、酸素飽和度の低下は見られなかった。
【００６３】
マット６１をある程度の保形性を有するような材質のもので形成すれば、乳児用姿勢保持具６０上に寝かされている乳児を乳児用姿勢保持具と共に抱きかかえることが容易になる。したがって、例えば、乳母車やチャイルドシート等の育児器具の座席から乳児を降ろしたり、あるいは乳児を座席上に乗せたりすることが容易になる。
【００６４】
図２０および図２１は、乳児用姿勢保持具の他の例を示している。図示する乳児用姿勢保持具７０は、マット７１と、一対の胴サポート７２，７３と、帯７４とを備える。各胴サポート７２，７３は、前述の実施形態と同様に、上層部７２ａ，７３ａと下層部７２ｂ，７３ｂとを含む。帯７４の両端は、各胴サポート７２，７３の上層部７２ａ，７３ａと下層部７２ｂ，７３ｂとの間を通過して、座席を形成する両側壁７５に連結されている。乳児が姿勢保持具７０上に寝かされていない状態では、帯７４の中央部分はマット７１から上方に離れている。
【００６５】
図２１に示すように、乳児が姿勢保持具７０上に寝かされると、帯７４の中央部分が乳児の胴１００によって下方に押圧されるので、帯７４の両端部分が各胴サポート７２，７３の上層部７２ａ，７３ａを内側方に向かって移動させる。
【００６６】
図２２および図２３は、乳児用姿勢保持具のさらに他の例を示している。図示する乳児用姿勢保持具８０は、マット８１と、一対の胴サポート８２，８３とを備える。各胴サポート８２，８３は、乳児の胴側部背面を下から支える下層部８２ｂ，８３ｂと、この下層部上で外側方にずれて位置して乳児の胴側部に横から当接する上層部８２ａ，８３ａとを含む。図示するように、各胴サポート８２，８３内には、下方に向かって凸状に湾曲した板状の剛性部材８４，８５が収容されている。乳児が姿勢保持具８０上に寝かされていない状態では、各剛性部材８４，８５の内側端部はマット８１から上方に大きく離れている。
【００６７】
図２３に示すように、乳児が姿勢保持具８０上に寝かされると、剛性部材８４，８５の内方端が下方に押されるので、各剛性部材８４，８５が図２３において矢印Ａで示すように内側に向かって回動し、上層部８２ａ，８３ａを内側方に向かって移動させる。
【００６８】
図２４および図２５は、乳児用姿勢保持具のさらに他の例を示している。図示する乳児用姿勢保持具１１０は、マット１１１と、一対の胴サポート１１２，１１３と、一対の胴サポートから連なってマット１１１の周縁部を取り囲む立壁部１１４とを備える。立壁部１１４は、所定の高さを有して乳児の下半身を取り囲むものである。マット１１１には、育児器具に取付けられた股ベルトを挿通させるための切込み１１５が設けられている。
【００６９】
図２５に示すように、各胴サポート１１２，１１３は、乳児の胴側部背面を下から支える下層部１１２ｂ，１１３ｂと、この下層部上で外側方にずれて位置して乳児の胴側部に横から当接する上層部１１２ａ，１１３ａとを含む。図示した実施形態では、マット１１１を形成する生地が下層部１１２ｂ，１１３ｂおよび上層部１１２ａ，１１３ａを覆っている。
【００７０】
以上、図面を参照してこの発明の種々の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００７１】
【図１】この発明の一実施形態における乳児用枕の斜視図である。
【図２】図１に示した乳児用枕の平面図である。
【図３】図１に示した乳児用枕のＩＩＩ-ＩＩＩで示す部分の断面図である。
【図４】図１に示した乳児用枕のＩＶ-ＩＶで示す部分の断面図である。
【図５】この発明にかかる乳児用枕の効果を説明するための図である。
【図６】この発明の他の実施形態における乳児用枕の平面図である。
【図７】この発明のさらに他の実施形態における乳児用枕の平面図である。
【図８】図７に示した乳児用枕のＶＩＩＩ-ＶＩＩＩで示す部分の断面図である。
【図９】この発明のさらに他の実施形態における乳児用枕の平面図である。
【図１０】図９に示した乳児用枕のＸ-Ｘで示す部分の断面図である。
【図１１】この発明のさらに他の実施形態における乳児用枕の平面図である。
【図１２】図１１に示した乳児用枕のＸＩＩ-ＸＩＩで示す部分の断面図である。
【図１３】この発明に従った乳児用姿勢保持構造の一実施形態を示す斜視図である。
【図１４】図１３に示した乳児用姿勢保持具の横断面図である。
【図１５】乳児の胴部分が乳児用姿勢保持具によって固定保持されている状態を示す断面図である。
【図１６】乳児が姿勢保持具上に寝かされている状態を示す平面図である。
【図１７】乳児が姿勢保持具上に寝かされている状態を示す平面図であり、両手が一対の胴サポート上に置かれている状態を示している。
【図１８】仰臥位での酸素飽和度の変化を示すグラフである。
【図１９】座部と背もたれ部との間の角度を３０度にしたときの酸素飽和度の変化を示すグラフである。
【図２０】乳児用姿勢保持具の他の例を示す断面図である。
【図２１】乳児が図２０に示した乳児用姿勢保持具によって固定保持されている状態を示す断面図である。
【図２２】乳児用姿勢保持具のさらに他の例を示す断面図である。
【図２３】乳児が図２２に示した乳児用姿勢保持具によって固定保持されている状態を示す断面図である。
【図２４】乳児用姿勢保持具のさらに他の例を示す平面図である。
【図２５】図２４の線２５−２５に沿って見た断面図である。
【図２６】従来の乳児用枕の問題点を説明するための図である。
【図２７】乳児の首部および腹部が屈曲している状態を示す図である。
【符号の説明】
【００７２】
１０、２０、３０、４０、５０  乳児用枕、１１  下敷層、１２、３２、４２  頭部位置決め部、１３、３３、４３  頸椎位置決め部、１４  突出部、１５、３５，４５  凹部、６０、７０、８０  乳児用姿勢保持具、６１、７１、８１  マット、６２、６３、７２、７３、８２、８３  胴サポート、６２ａ、６３ａ、７２ａ、７３ａ、８２ａ、８３ａ  上層部、６２ｂ、６３ｂ、７２ｂ、７３ｂ、８２ｂ、８３ｂ  下層部、７４  帯、８４，８５  剛性部材、１１０  乳児用姿勢保持具、１１１  マット、１１２，１１３  胴サポート、１１２ａ，１１３ａ  上層部、１１２ｂ，１１３ｂ  下層部、１１４  立壁部。
【図１】
2005110800.tif 000003
【図２】
2005110800.tif 000004
【図３】
2005110800.tif 000005
【図４】
2005110800.tif 000006
【図５】
2005110800.tif 000007
【図６】
2005110800.tif 000008
【図７】
2005110800.tif 000009
【図８】
2005110800.tif 000010
【図９】
2005110800.tif 000011
【図１０】
2005110800.tif 000012
【図１１】
2005110800.tif 000013
【図１２】
2005110800.tif 000014
【図１３】
2005110800.tif 000015
【図１４】
2005110800.tif 000016
【図１５】
2005110800.tif 000017
【図１６】
2005110800.tif 000018
【図１７】
2005110800.tif 000019
【図１８】
2005110800.tif 000020
【図１９】
2005110800.tif 000021
【図２０】
2005110800.tif 000022
【図２１】
2005110800.tif 000023
【図２２】
2005110800.tif 000024
【図２３】
2005110800.tif 000025
【図２４】
2005110800.tif 000026
【図２５】
2005110800.tif 000027
【図２６】
2005110800.tif 000028
【図２７】
2005110800.tif 000029